Podtech/llm-jp-corpus-v4-ja_patent huggingface dataset:
【手続補正書】
【提出日】平成25年5月7日(2013.5.7)
【手続補正１】
【補正対象書類名】特許請求の範囲
【補正対象項目名】全文
【補正方法】変更
【補正の内容】
【特許請求の範囲】
【請求項１】
受信した映像データの信号の品質を示す品質値に応じて、当該映像データが送信されているチャンネルの登録を制御する放送受信装置であって、
複数の映像品質の映像データの復号が可能なスケーラブル符号化方式を用いて符号化された映像データを受信する受信手段と、
受信した映像データの品質値を算出する算出手段と、
前記受信手段で受信した映像データについて算出された品質値が、当該映像データを所定の映像品質以上の映像品質で復号可能な品質値の基準を満たす場合に、当該映像データが送信されているチャンネルを放送受信装置で受信可能なチャンネルとして登録する登録手段と、
を有することを特徴とする放送受信装置。
【請求項２】
前記受信した映像データを復号することで選択可能な複数の映像品質のうち、前記所定の映像品質以上の映像品質で復号するために必要な品質値を基準値として決定する決定手段を更に有し、
前記登録手段は、前記算出手段で算出された品質値が前記決定手段で決定された基準値以上である映像データが送信されているチャンネルを、受信可能なチャンネルとして登録する
ことを特徴とする請求項１に記載の放送受信装置。
【請求項３】
前記品質値は、Ｃ／Ｎ比またはＢＥＲである
ことを特徴とする請求項１または２に記載の放送受信装置。
【請求項４】
前記映像品質とは、解像度の種類、フレームレートの種類、Ｓ／Ｎ比の度合い、画素深度の度合い、色差フォーマットの種類、及び、ＦＧＳか否かの少なくともいずれかによって規定される映像の特性である
ことを特徴とする請求項１〜３のいずれか１項に記載の放送受信装置。
【請求項５】
受信した映像データの信号の品質を示す品質値に応じて、当該映像データが送信されているチャンネルの登録を制御する放送受信装置の制御方法であって、
複数の映像品質の映像データの復号が可能なスケーラブル符号化方式を用いて符号化さ
れた映像データを受信する受信ステップと、
受信した映像データの品質値を算出する算出ステップと、
前記受信ステップで受信した映像データについて算出された品質値が、当該映像データを所定の映像品質以上の映像品質で復号可能な品質値の基準を満たす場合に、当該映像データが送信されているチャンネルを放送受信装置で受信可能なチャンネルとして登録する登録ステップと、
を有することを特徴とする放送受信装置の制御方法。
【請求項６】
前記受信した映像データを復号することで選択可能な複数の映像品質のうち、前記所定の映像品質以上の映像品質で復号するために必要な品質値を基準値として決定する決定ステップを更に有し、
前記登録ステップでは、前記算出ステップで算出された品質値が前記決定ステップで決定された基準値以上である映像データが送信されているチャンネルが、受信可能なチャンネルとして登録される
ことを特徴とする請求項５に記載の放送受信装置の制御方法。
【請求項７】
前記品質値は、Ｃ／Ｎ比またはＢＥＲである
ことを特徴とする請求項５または６に記載の放送受信装置の制御方法。
【請求項８】
前記映像品質とは、解像度の種類、フレームレートの種類、Ｓ／Ｎ比の度合い、画素深度の度合い、色差フォーマットの種類、及び、ＦＧＳか否かの少なくともいずれかによって規定される映像の特性である
ことを特徴とする請求項５〜７のいずれか１項に記載の放送受信装置の制御方法。
【手続補正２】
【補正対象書類名】明細書
【補正対象項目名】０００８
【補正方法】変更
【補正の内容】
【０００８】
本発明の放送受信装置は、受信した映像データの信号の品質を示す品質値に応じて、当該映像データが送信されているチャンネルの登録を制御する放送受信装置であって、複数の映像品質の映像データの復号が可能なスケーラブル符号化方式を用いて符号化された映像データを受信する受信手段と、受信した映像データの品質値を算出する算出手段と、前記受信手段で受信した映像データについて算出された品質値が、当該映像データを所定の映像品質以上の映像品質で復号可能な品質値の基準を満たす場合に、当該映像データが送信されているチャンネルを放送受信装置で受信可能なチャンネルとして登録する登録手段と、を有することを特徴とする。
【手続補正３】
【補正対象書類名】明細書
【補正対象項目名】０００９
【補正方法】変更
【補正の内容】
【０００９】
本発明の放送受信装置の制御方法は、受信した映像データの信号の品質を示す品質値に応じて、当該映像データが送信されているチャンネルの登録を制御する放送受信装置の制御方法であって、複数の映像品質の映像データの復号が可能なスケーラブル符号化方式を用いて符号化された映像データを受信する受信ステップと、受信した映像データの品質値を算出する算出ステップと、前記受信ステップで受信した映像データについて算出された品質値が、当該映像データを所定の映像品質以上の映像品質で復号可能な品質値の基準を満たす場合に、当該映像データが送信されているチャンネルを放送受信装置で受信可能な
チャンネルとして登録する登録ステップと、を有することを特徴とする。
【手続補正書】
【提出日】平成25年5月16日(2013.5.16)
【手続補正１】
【補正対象書類名】特許請求の範囲
【補正対象項目名】全文
【補正方法】変更
【補正の内容】
【特許請求の範囲】
【請求項１】
各々が光電変換部を含む画素が複数行列状に配列された画素アレイと、
前記画素アレイの行を選択する行選択部と、を有し、
前記行選択部は
前記画素アレイの行のアドレスに対応するアドレス信号を時分割多重方式により生成するアドレス生成部と、
前記アドレス生成部で生成された前記アドレス信号をデコードして、対応するデコード値を出力するデコーダと、
信号を読み出す前記画素アレイの行のアドレスに対応する前記デコード値を記憶する第１記憶部と、
初期化を行う前記画素アレイの行のアドレスに対応する前記デコード値を記憶する第２記憶部と、
を含む撮像装置であって、
前記行選択部はさらに、前記光電変換部の電位を固定する前記画素アレイの行のアドレスに対応する前記デコード値を記憶する第３記憶部を含むこと
を特徴とする撮像装置。
【請求項２】
前記画素の各々はさらに、
前記光電変換部で生成された電荷に基づく信号を出力する増幅トランジスタと、
前記光電変換部に保持された電荷を前記増幅トランジスタのゲートのノードに転送する転送トランジスタと、
前記前記増幅トランジスタのゲートのノードをリセットするリセットトランジスタと、を含み、
前記第３記憶部に記憶された前記デコード値に基づいて、前記転送トランジスタと前記リセットトランジスタとを制御すること
を特徴とする請求項１に記載の撮像装置。
【請求項３】
前記増幅トランジスタと、前記リセットトランジスタとで、それぞれのドレイン端子が共通に接続されること
を特徴とする請求項２に記載の撮像装置。
【請求項４】
前記増幅トランジスタと、前記リセットトランジスタとで、それぞれのドレイン端子が異なる電源に接続されること
を特徴とする請求項２に記載の撮像装置。
【請求項５】
前記画素の各々はさらに、前記画素を選択状態あるいは非選択状態にする選択トランジスタを含むこと
を特徴とする請求項２ないし４のいずれかに記載の撮像装置。
【請求項６】
複数の前記画素で、前記増幅トランジスタおよび前記リセットトランジスタとを共有することを特徴とする請求項２ないし５のいずれかに記載の撮像装置。
【請求項７】
請求項１乃至６のいずれかに記載の撮像装置と、
１行の前記画素に係る信号の読み出しを行う水平同期期間を規定する水平同期信号を出力するタイミング生成部と、を備えたことを特徴とする撮像システム。
【請求項８】
前記タイミング生成部は、同一の行に係る前記第２記憶部と前記第３記憶部について、
前記第２記憶部に前記デコード値を記憶する動作と、
前記第３記憶部を初期化する動作と、を同時に行うこと
を特徴とする請求項７に記載の撮像システム。
【請求項９】
前記撮像装置は、同一の前記水平同期期間において、前記第１記憶部に基づいて信号を読み出す前記画素の初期化と並行して、前記第２記憶部に基づいて選択する画素の初期化を行うこと
を特徴とする請求項７または８に記載の撮像システム。
【請求項１０】
前記撮像装置の画素部に像を形成する光学系と、
前記撮像装置から出力された信号を処理して画像データを生成する映像信号処理部と、をさらに備えたこと
を特徴とする請求項７ないし９のいずれかに記載の撮像システム。
【請求項１１】
各々が光電変換部を含む画素が複数行列状に配列された画素アレイと、
前記画素アレイの行を選択する行選択部と、を有し、
前記行選択部は
前記画素アレイの行のアドレスに対応するアドレス信号を時分割多重方式により生成するアドレス生成部と、
前記アドレス生成部で生成された前記アドレス信号をデコードして、対応するデコード値を出力するデコーダと、
信号を読み出す前記画素アレイの行のアドレスに対応する前記デコード値を記憶する第１記憶部と、
初期化を行う前記画素アレイの行のアドレスに対応する前記デコード値を記憶する第２記憶部と、
を含む撮像装置の駆動方法であって、
前記行選択部はさらに、前記光電変換部の電位を固定する前記画素アレイの行のアドレスに対応する前記デコード値を記憶する第３記憶部を含み、
前記第３記憶部で記憶された行の電位を固定している期間に、前記第２記憶部で記憶された行のシャッタ走査を行うことを特徴とする撮像装置の駆動方法。
【請求項１２】
同一の行に係る前記第２記憶部と前記第３記憶部について、
前記第２記憶部に前記デコード値を記憶する動作と、前記第３記憶部を初期化する動作と、を同時に行うこと
を特徴とする請求項１１に記載の撮像装置の駆動方法。
【請求項１３】
同一の水平同期期間において、前記第１記憶部に基づいて信号を読み出す前記画素の初期化と並行して、前記第２記憶部に基づいて選択する画素の初期化を行うこと
を特徴とする請求項１１または１２に記載の撮像装置の駆動方法。
【請求項１４】
前記画素アレイの一部を切り出して信号を読み出す切り出し動作において、
前記第１記憶部に基づく、前記画素アレイからの信号を読み出す読み出し走査は第１の方向に走査を行い、
前記読み出し走査の開始行から前記第１の方向とは異なる側にある非読み出し行は、前記第３記憶部に基づく前記光電変換部の電位を固定する走査を、前記第１の方向とは異なる第２の方向に行うこと
を特徴とする請求項１１ないし１３のいずれかに記載の撮像装置の駆動方法。
【請求項１５】
前記画素アレイの一部を切り出して信号を読み出す切り出し動作において、
前記第１記憶部に基づく、前記画素アレイからの信号を読み出す読み出し走査は第１の方向に走査を行い、
前記読み出し走査の終了行から前記第１の方向と同じ側にある非読み出し行は、前記第３記憶部に基づく前記光電変換部の電位を固定する走査を、前記第１の方向に行うこと
を特徴とする請求項１１ないし１４のいずれかに記載の撮像装置の駆動方法。
【請求項１６】
前記画素の各々はさらに、
前記光電変換部で生成された電荷に基づく信号を出力する増幅トランジスタと、
前記光電変換部に保持された電荷を前記増幅トランジスタのゲートのノードに転送する転送トランジスタと、
前記増幅トランジスタのゲートのノードをリセットするリセットトランジスタと、を含み、
複数の前記画素で、前記増幅トランジスタおよび前記リセットトランジスタとを共有し、
前記第１記憶部に基づいて信号が読み出される前記画素と前記増幅トランジスタと前記リセットトランジスタとを共有する前記画素は、前記第２記憶部に基づいてシャッタ走査を行い、前記第３記憶部に基づいて光電変換部の電位を固定しないこと
を特徴とする請求項１１ないし１５のいずれかに記載の撮像装置の駆動方法。
【手続補正書】
【提出日】平成25年5月20日(2013.5.20)
【手続補正１】
【補正対象書類名】特許請求の範囲
【補正対象項目名】全文
【補正方法】変更
【補正の内容】
【特許請求の範囲】
【請求項１】
複数の光電変換素子を所定の方向に配置された光電変換部と、
前記光電変換部から移送された電荷を外部へ転送する転送部と、
電荷を排出するためのドレインと、
前記転送部から前記ドレインへ電荷を移送するための移送手段と、
前記転送部から電荷を出力する画素数を設定する設定手段と、
前記設定手段により設定された画素数に対応する第１範囲の光電変換部の電荷を前記転送部から外部へ転送させた後、前記移送手段を制御して前記第１範囲以外の第２範囲に対応する光電変換部の電荷を前記転送部からドレインへ移送させる制御を行う制御部と、
を備えることを特徴とするセンサユニット。
【請求項２】
前記光電変換部から前記複数の光電変換素子で生成された電荷は転送部へ移送され、
前記制御部は、前記複数の光電変換素子で生成された電荷のうち前記設定手段により設定された画素数に対応する分の電荷を前記転送部から外部へ転送することを特徴とする請求項１に記載のセンサユニット。
【請求項３】
前記設定手段で設定された画素数分のパルス信号を入力したか判定する判定手段を備え、
前記転送部は、パルス信号に基づいて電荷を外部へ転送し、
前記制御部は、前記判定手段により前記設定手段で設定された画素数分のパルス信号を入力したと判定すると、前記移送手段を制御して前記第２範囲に対応する光電変換部の電荷を前記転送部からドレインへ移送させることを特徴とする請求項１又は２に記載のセンサユニット。
【請求項４】
前記制御部は、所定の周期で生成される同期信号に基づいて、前記転送部に所定数のパルス信号を与えて電荷を外部へ転送する第１の制御と、前記所定の周期より短い周期で生成される同期信号に基づいて、前記転送部に前記所定数より少ない数のパルス信号を与えて電荷を外部へ転送させた後、前記移送手段を制御して前記転送部が保持する電荷を前記ドレインへ移送する第２の制御とを備えることを特徴とする請求項１〜３のいずれか１項に記載のセンサユニット。
【請求項５】
前記第１の制御では、所定の周期で生成される同期信号に基づいて、前記転送部に所定数のパルス信号を与えて電荷を外部へ転送した後、前記移送手段を制御して前記転送部が保持する電荷を前記ドレインへ移送することを特徴とする請求項４に記載のセンサユニット。
【請求項６】
光源をさらに備え、
前記制御部は、前記第２の制御における光源の光量を、前記第１の制御における光源の光量より大きくするように設定を行うことを特徴とする請求項４又は５に記載のセンサユニット。
【請求項７】
前記光電変換部と前記転送部との間に、蓄積部をさらに備えることを特徴とする請求項１〜６のいずれか１項に記載のセンサユニット。
【請求項８】
前記蓄積部から前記転送部へ電荷を移送するための第２移送手段をさらに備えることを特徴とする請求項７に記載のセンサユニット。
【請求項９】
前記設定手段は、操作部からの指示に応じて転送部から電荷を出力する画素数を設定することを特徴とする請求項１〜８のいずれか１項に記載のセンサユニット。
【請求項１０】
前記設定手段は、前記センサユニットの原稿読取幅よりも幅の狭い領域を読取る場合、前記領域に応じて前記画素数を設定することを特徴とする請求項１〜９のいずれか１項に記載のセンサユニット。
【請求項１１】
請求項１〜１０のいずれか１項に記載のセンサユニットを備えることを特徴とする画像読取装置。
【請求項１２】
複数の光電変換素子を所定の方向に配置された光電変換部と、前記光電変換部から移送された電荷を外部へ転送する転送部と、電荷を排出するためのドレインと、前記転送部から前記ドレインへ電荷を移送するための移送手段と、を備えるセンサユニットの制御方法であって、
前記転送部から電荷を出力する画素数を設定し、
設定された画素数に対応する第１範囲の光電変換部の電荷を前記転送部から外部へ転送させた後、前記移送手段を制御して前記第１範囲以外の第２範囲に対応する光電変換部の電荷を前記転送部からドレインへ移送させる制御を行うことを特徴とする制御方法。
【手続補正２】
【補正対象書類名】明細書
【補正対象項目名】発明の名称
【補正方法】変更
【補正の内容】
【発明の名称】センサユニット、画像読取装置、及び制御方法
【手続補正３】
【補正対象書類名】明細書
【補正対象項目名】０００１
【補正方法】変更
【補正の内容】
【０００１】
本発明は、光電変換素子を備えるセンサユニット、画像読取装置及び制御方法に関する。
【手続補正４】
【補正対象書類名】明細書
【補正対象項目名】０００５
【補正方法】変更
【補正の内容】
【０００５】
本発明は、上記課題を解決するために、簡単な回路構成で、簡単な回路構成で、幅が狭い原稿を高速で読取ることを可能とするセンサユニット、画像読取装置、及び制御方法を提供することを目的とする。
【手続補正５】
【補正対象書類名】明細書
【補正対象項目名】０００６
【補正方法】変更
【補正の内容】
【０００６】
上記課題を解決するための、本発明のセンサユニットは、複数の光電変換素子を所定の方向に配置された光電変換部と、前記光電変換部から移送された電荷を外部へ転送する転送部と、電荷を排出するためのドレインと、前記転送部から前記ドレインへ電荷を移送するための移送手段と、前記転送部から電荷を出力する画素数を設定する設定手段と、前記設定手段により設定された画素数に対応する第１範囲の光電変換部の電荷を前記転送部から外部へ転送させた後、前記移送手段を制御して前記第１範囲以外の第２範囲に対応する光電変換部の電荷を前記転送部からドレインへ移送させる制御を行う制御部と、を備えることを特徴とする。
【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
動画データを入力する入力手段と、
動画データの記録開始からの経過時間を示すタイムコードを生成する生成手段と、
前記入力手段により入力された動画データと前記生成手段により生成されたタイムコードとを記録媒体に記録する記録手段であって、記録開始の指示に応じて前記動画データの記録を開始し、記録停止の指示に応じて前記動画データの記録を停止する記録手段と、
前記入力手段により入力された動画データと前記生成手段により生成されたタイムコードとを外部記録装置に出力する出力手段と、
前記記録開始の指示に応じて前記外部記録装置に記録開始コマンドを出力し、前記記録停止の指示に応じて前記外部記録装置に記録停止コマンドを出力するように、前記出力手段を制御する制御手段
とを備え、
前記記録開始の指示に応じて、前記生成手段により前記タイムコードのカウントを所定値から開始すると共に、前記出力手段により前記外部記録装置に対して前記カウントされたタイムコードの出力を開始し、前記記録停止の指示により前記記録手段が前記動画データの記録を停止した後に前記生成手段による前記タイムコードのカウントを継続すると共に、前記出力手段による前記外部記録装置への前記タイムコードの出力を継続することを特徴とする画像処理装置。
【請求項２】
前記制御手段は、前記外部記録装置からの記録終了の通知に応じて、前記生成手段による前記タイムコードのカウントを停止することを特徴とする請求項１に記載の画像処理装置。
【請求項３】
前記外部記録装置が前記記録停止コマンドに応じて記録を停止するフレームが、前記記録停止コマンドに対応したフレームよりも後のフレームである場合に、前記記録停止コマンドに対応したフレームから前記記録を停止するフレームまでの期間、前記生成手段による前記タイムコードのカウントを継続すると共に前記出力手段による前記外部記録装置への前記タイムコードの出力を継続することを特徴とする請求項１または２に記載の画像処理装置。
【請求項４】
前記記録手段は、前記動画データをＭＰＥＧ方式に従って符号化して記録し、
前記外部記録装置は、前記出力手段から出力された動画データをＭＰＥＧ方式に従って符号化して記録し、
前記記録手段により符号化される動画データの１ＧＯＰのフレーム数と前記外部記録装置により符号化される動画データの１ＧＯＰのフレーム数とが異なる
ことを特徴とする請求項１から３の何れか１項に記載の画像処理装置。
【手続補正２】
【補正対象書類名】明細書
【補正対象項目名】０００９
【補正方法】変更
【補正の内容】
【０００９】
本発明に係る画像処理装置は、動画データを入力する入力手段と、動画データの記録開始からの経過時間を示すタイムコードを生成する生成手段と、前記入力手段により入力された動画データと前記生成手段により生成されたタイムコードとを記録媒体に記録する記録手段であって、記録開始の指示に応じて前記動画データの記録を開始し、記録停止の指示に応じて前記動画データの記録を停止する記録手段と、前記入力手段により入力された動画データと前記生成手段により生成されたタイムコードとを外部記録装置に出力する出力手段と、前記記録開始の指示に応じて前記外部記録装置に記録開始コマンドを出力し、前記記録停止の指示に応じて前記外部記録装置に記録停止コマンドを出力するように、前記出力手段を制御する制御手段とを備え、前記記録開始の指示に応じて、前記生成手段により前記タイムコードのカウントを所定値から開始すると共に、前記出力手段により前記外部記録装置に対して前記カウントされたタイムコードの出力を開始し、前記記録停止の指示により前記記録手段が前記動画データの記録を停止した後に前記生成手段による前記タイムコードのカウントを継続すると共に、前記出力手段による前記外部記録装置への前記タイムコードの出力を継続することを特徴とする。
【手続補正３】
【補正対象書類名】明細書
【補正対象項目名】００４８
【補正方法】変更
【補正の内容】
【００４８】
操作部１０７により記録停止の指示があると（Ｓ２０５）、制御部１０６は、ＧＯＰの最終フレーム、即ち、図３のＧＯＰ構成３０１におけるＰ１１フレームまで記録したか否かを判別する（Ｓ２０６）。ＧＯＰの最終フレームまで記録していない場合（Ｓ２０６）、ビデオカメラ１００は、動画データの符号化と記録を続け（Ｓ２１３）、動画データにタイムコード生成部１１１によるタイムコードを付加してレコーダ２００に出力する（Ｓ２１４）。タイムコード生成部１１１がタイムコードをカウントアップし、Ｓ２０６に戻る（Ｓ２１５）。
【手続補正書】
【提出日】平成25年5月15日(2013.5.15)
【手続補正１】
【補正対象書類名】特許請求の範囲
【補正対象項目名】全文
【補正方法】変更
【補正の内容】
【特許請求の範囲】
【請求項１】
動画データを入力する入力手段と、
前記入力手段により入力された動画データを記録媒体に記録する記録手段と、
前記入力手段により入力された動画データを外部記録装置に出力する出力手段と、
第１の記録モードにおいて、所定の記録停止期間おきにｎ（ｎは１以上の整数）フレームの前記動画データを記録するように前記記録手段を制御すると共に、前記外部記録装置に前記動画データを出力し、前記ｎフレームの動画データの記録開始に応じて前記外部記録装置に動画データの記録開始コマンドを出力し、前記ｎフレームの動画データの記録停止に応じて前記外部記録装置に動画データの記録停止コマンドを出力するように前記出力手段を制御する制御手段
とを有することを特徴とする画像処理装置。
【請求項２】
動画データの記録開始の指示と記録停止の指示とを出力する指示手段を備え、
前記制御手段は、前記第１のモードにおいて、前記指示手段からの記録開始の指示に応じて、前記外部記録装置に動画データの記録開始コマンドを出力するように前記出力手段を制御すると共に前記動画データの記録を開始するように前記記録手段を制御し、前記指示手段からの記録停止の指示に応じて、前記外部記録装置に動画データの記録停止コマンドを出力するように前記出力手段を制御すると共に前記動画データの記録を停止するように前記記録手段を制御する
ことを特徴とする請求項１に記載の画像処理装置。
【請求項３】
前記制御手段は更に、第２の記録モードにおいて、前記所定の記録停止期間おきに前記ｎフレームの動画データを記録するように前記記録手段を制御すると共に、前記指示手段からの記録開始の指示に応じて前記外部記録装置に動画データの記録開始のコマンドを出力した後、前記指示手段からの記録停止の指示に応じて前記外部記録装置に動画データの記録停止のコマンドを出力するまでの間、前記外部記録装置に動画データの記録開始のコマンド及び記録停止のコマンドを出力しないように制御することを特徴とする請求項２に記載の画像処理装置。
【請求項４】
前記入力手段は前記動画データを取得する撮像手段を含み、
前記制御手段は、前記第１のモードにおいて、前記記録停止期間に前記撮像手段による撮像を停止するように制御する
ことを特徴とする請求項１から３の何れか１項に記載の画像処理装置。
【手続補正２】
【補正対象書類名】明細書
【補正対象項目名】０００８
【補正方法】変更
【補正の内容】
【０００８】
本発明に係る画像処理装置は、動画データを入力する入力手段と、前記入力手段により入力された動画データを記録媒体に記録する記録手段と、前記入力手段により入力された動画データを外部記録装置に出力する出力手段と、第１の記録モードにおいて、所定の記録停止期間おきにｎ（ｎは１以上の整数）フレームの前記動画データを記録するように前記記録手段を制御すると共に、前記外部記録装置に前記動画データを出力し、前記ｎフレームの動画データの記録開始に応じて前記外部記録装置に動画データの記録開始コマンドを出力し、前記ｎフレームの動画データの記録停止に応じて前記外部記録装置に動画データの記録停止コマンドを出力するように前記出力手段を制御する制御手段とを有することを特徴とする。
【手続補正３】
【補正対象書類名】明細書
【補正対象項目名】００５１
【補正方法】変更
【補正の内容】
【００５１】
制御部１０６は、内蔵タイマを参照し、動画データの記録停止（Ｓ４１２）から停止期間Ｔが経過したかどうかを判別する（Ｓ４１５）。停止期間Ｔが経過していない場合（Ｓ４１５）、制御部１０６は、操作部１０７から記録停止の指示があったかどうかを判別する（Ｓ４１６）。記録停止の指示があると（Ｓ４１６）、制御部１０６は、その時点で生成されているタイムコードＢの値をメモリ１０５に記憶し、ステップＳ４０９に移行する（Ｓ４１７）。記録停止の指示が無い場合（Ｓ４１６）、Ｓ４１３に戻り、停止期間Ｔの経過を待つ。停止期間Ｔが経過していた場合（Ｓ４１５）、ステップＳ４０２に戻り、再び、ｎフレームの動画データの記録を繰り返す。
【手続補正４】
【補正対象書類名】明細書
【補正対象項目名】００５４
【補正方法】変更
【補正の内容】
【００５４】
図５（ｂ）は、連続モードにおけるビデオカメラ１００とレコーダ２００の動作関係を示す。５０３がビデオカメラ１００の動作状態を示し、５０４がレコーダ２００の動作状態を示す。図５（ｂ）に示す様に、インターバル記録開始後、記録停止の指示があるまでは、記録開始コマンドと記録停止コマンドをレコーダ２００には出力しない。レコーダ２００は、記録開始コマンドで動画データの記録開始した後、記録停止コマンドを受けるまで、動画データの記録を続ける。
【手続補正書】
【提出日】平成25年5月14日(2013.5.14)
【手続補正１】
【補正対象書類名】特許請求の範囲
【補正対象項目名】全文
【補正方法】変更
【補正の内容】
【特許請求の範囲】
【請求項１】
記録媒体の両面に画像を印字可能な印字機構と、
前記記録媒体の裏面に印字される前記画像のサイズを補正する画像補正手段と、
を備え、
前記画像補正手段は、前記印字機構の副走査方向に連続する画素列で構成された複数の遷移領域について画素の挿抜処理を行うことにより前記画像のサイズを補正する
ことを特徴とする画像印字装置。
【請求項２】
前記画像補正手段は、
前記複数の遷移領域の間隔を画定する補正係数を設定する補正係数設定手段と、
前記遷移領域を構成する画素列の数を設定する遷移領域設定手段と、
を有することを特徴とする請求項１に記載の画像印字装置。
【請求項３】
印字に伴う前記記録媒体の伸縮率を設定する伸縮率設定手段をさらに備え、
前記補正係数設定手段は、前記伸縮率設定手段で設定された伸縮率に応じた前記補正係数を算出して設定する
ことを特徴とする請求項２に記載の画像印字装置。
【請求項４】
前記記録媒体の表面への印字に要する時間と前記記録媒体の裏面への印字に要する時間とを計測する計測手段をさらに備え、
前記補正係数設定手段は、前記計測手段で計測された時間を用いて前記補正係数を算出して設定する
ことを特徴とする請求項２に記載の画像印字装置。
【請求項５】
N（N≧２）回の描画走査の重畳によって記録媒体に画像を印字する印字機構と、
２回目以降の描画走査において前記記録媒体に印字される画像のサイズを補正するＮ個の画像補正手段と、
を備え、
前記画像補正手段は、前記印字機構の副走査方向に連続する画素列で構成された遷移領域について画素の挿抜処理を行うことにより前記画像のサイズを補正する
ことを特徴とする画像印字装置。
【請求項６】
前記画像補正手段は、前記遷移領域の位置を各描画走査で異ならせる手段を備えることを特徴とする請求項５に記載の画像印字装置。
【請求項７】
前記印字機構は、複数の色顔料を用いた色毎の描画走査によって記録媒体にカラー画像を印字可能であって、色毎に設けられ、
前記画像補正手段は、色毎に設けられ、前記色毎の描画走査における遷移領域の位置を相互に異ならせる手段を備えることを特徴とする請求項１に記載の画像印字装置。
【請求項８】
前記印字機構は、同時に複数のビームで走査可能なマルチビームのレーザ光源を備え、
前記画像補正手段は、前記遷移領域が前記マルチビームの幅内に収まるように、前記遷移領域の開始位置を調整する手段を備える、
ことを特徴とする請求項１に記載の画像印字装置。
【請求項９】
記録媒体の両面に画像を印字可能な印字機構を備えた画像印字装置における画像の印字方法において、
前記記録媒体の裏面に印字される前記画像のサイズを補正するステップであって、前記印字機構の副走査方向に連続する画素列で構成された複数の遷移領域について画素の挿抜処理を行うことにより前記画像のサイズを補正するステップ
を含むことを特徴とする画像の印字方法。
【請求項１０】
コンピュータを請求項１乃至８のいずれか一項に記載の画像印字装置として機能させるためのプログラム。
【手続補正書】
【提出日】平成25年5月20日(2013.5.20)
【手続補正１】
【補正対象書類名】特許請求の範囲
【補正対象項目名】全文
【補正方法】変更
【補正の内容】
【特許請求の範囲】
【請求項１】
入力された画像信号に基づく画像を投影面に投影する投影装置であって、
前記画像信号に基づく画像の形状を決定する決定手段と、
前記画像信号に基づく画像を複数の領域に分割し、前記決定手段により決定された画像の形状に基づいて、前記分割された領域の画像を別々に変形させる変形手段と、
前記変形手段により変形されたそれぞれの領域の画像を、前記決定手段により決定された画像の形状に基づく位置関係になるように合成する合成手段と、
前記合成手段により合成された画像を投影面に投影する投影手段と、
を有することを特徴とする投影装置。
【請求項２】
前記変形手段は、前記分割された領域の画像をそれぞれ一時的に記憶手段に記憶させ、前記記憶手段に記憶された、前記分割された領域の画像を別々に変形させることを特徴とする請求項１に記載の投影装置。
【請求項３】
前記合成手段は、前記変形手段により変形されたそれぞれの領域の画像の間に、前記入力された画像信号に基づかない画像が含まれないように、前記変形手段により変形されたそれぞれの領域の画像を合成することを特徴とする請求項１または２に記載の投影装置。
【請求項４】
前記合成手段は、アドレス構造を有する記憶手段を有し、
前記合成手段は、前記変形手段により変形されたそれぞれの領域の画像を、前記記憶手段に記憶し、
前記投影手段は、前記記憶手段に記憶された画像をアドレス順に読み出して、投影面に画像を投影することを特徴とする請求項１から３のいずれか１項に記載の投影装置。
【請求項５】
前記合成手段は、前記変形手段により変形されたそれぞれの領域の画像を前記記憶手段に記憶する場合、前記決定手段により決定された画像の形状に基づいて、前記変形手段により変形されたそれぞれの領域の画像の記録アドレスを決定することを特徴とする請求項４に記載の投影装置。
【請求項６】
前記決定手段は、前記投影装置の投影角度に応じて前記画像信号に基づく画像の形状を決定することを特徴とする請求項１から５のいずれか１項に記載の投影装置。
【請求項７】
前記決定手段は、前記投影面を撮像して得られた画像に基づいて、前記画像信号に基づく画像の形状を決定することを特徴とする請求項１から５のいずれか１項に記載の投影装置。
【請求項８】
入力された画像信号に基づく画像を投影面に投影する投影方法であって、
前記画像信号に基づく画像の形状を決定する決定ステップと、
前記画像信号に基づく画像を複数の領域に分割し、前記決定ステップで決定された画像の形状に基づいて、前記分割された領域の画像を別々に変形させる変形ステップと、
前記変形ステップで変形されたそれぞれの領域の画像を、前記決定ステップで決定された画像の形状に基づく位置関係になるように合成する合成ステップと、
前記合成ステップで合成された画像を投影面に投影する投影ステップと、
を有することを特徴とする投影方法。
【請求項９】
前記変形ステップにおいて、前記分割された領域の画像をそれぞれ一時的に記憶手段に記憶させ、前記記憶手段に記憶された、前記分割された領域の画像を別々に変形させることを特徴とする請求項８に記載の投影方法。
【請求項１０】
前記合成ステップにおいて、前記変形ステップで変形されたそれぞれの領域の画像の間に、前記入力された画像信号に基づかない画像が含まれないように、前記変形ステップで変形されたそれぞれの領域の画像を合成することを特徴とする請求項８または９に記載の投影方法。
【請求項１１】
前記合成ステップにおいて、前記変形ステップで変形されたそれぞれの領域の画像を、アドレス構造を有する記憶手段に記憶し、
前記投影ステップにおいて、前記記憶手段に記憶された画像をアドレス順に読み出して、投影面に画像を投影することを特徴とする請求項８から１０のいずれか１項に記載の投影方法。
【請求項１２】
前記合成ステップにおいて、前記変形ステップで変形されたそれぞれの領域の画像を前記記憶手段に記憶する場合、前記決定ステップにおいて決定された画像の形状に基づいて、前記変形ステップで変形されたそれぞれの領域の画像の記録アドレスを決定することを特徴とする請求項１１に記載の投影方法。
【請求項１３】
前記決定ステップにおいて、前記投影面を撮像して得られた画像に基づいて、前記画像信号に基づく画像の形状を決定することを特徴とする請求項８から１２のいずれか１項に記載の投影方法。
【手続補正２】
【補正対象書類名】明細書
【補正対象項目名】発明の名称
【補正方法】変更
【補正の内容】
【発明の名称】投影装置及び投影方法
【手続補正３】
【補正対象書類名】明細書
【補正対象項目名】００１０
【補正方法】変更
【補正の内容】
【００１０】
前述の目的を達成するために、本発明の投影装置は、以下の構成を備える。
入力された画像信号に基づく画像を投影面に投影する投影装置であって、画像信号に基づく画像の形状を決定する決定手段と、画像信号に基づく画像を複数の領域に分割し、決定手段により決定された画像の形状に基づいて、分割された領域の画像を別々に変形させる変形手段と、変形手段により変形されたそれぞれの領域の画像を、決定手段により決定された画像の形状に基づく位置関係になるように合成する合成手段と、合成手段により合成された画像を投影面に投影する投影手段と、を有することを特徴とする。
【手続補正書】
【提出日】平成25年4月26日(2013.4.26)
【手続補正１】
【補正対象書類名】明細書
【補正対象項目名】００１０
【補正方法】変更
【補正の内容】
【００１０】
また、請求項４記載の発明に係る動画再生装置にあっては、前記表示手段にフレーム画像に重ねて表示された前記指標を構成する補助ラインの表示位置を調整する位置調整手段を更に備え、前記表示制御手段は、前記表示手段に、前記位置調整手段によって補助ラインの表示位置が調整された後の前記指標を重ねた状態で前記動作解析用の動画像を表示させることを特徴とする。
また、請求項５記載の発明に係る動画再生装置にあっては、前記位置調整手段は、前記表示手段に前記フレーム画像に重ねて表示された前記指標を構成する補助ラインの表示位置を使用者の指示に応じて調整することを特徴とする。
また、請求項６記載の発明に係る動画再生装置にあっては、前記動作解析用の動画像の再生に先立ち、前記認識手段によりパターン認識された動作形態に対応する種類の指標を、前記動作解析用の動画像を構成するフレーム画像に重ねて前記表示手段に表示させる指標表示手段を更に備え、前記位置調整手段は、前記指標表示手段により表示された前記指標を構成する補助ラインの表示位置を調整することを特徴とする。
【手続補正２】
【補正対象書類名】明細書
【補正対象項目名】００１１
【補正方法】変更
【補正の内容】
【００１１】
また、請求項７記載の発明に係る動画再生装置にあっては、被写体を撮像する撮像手段と、前記撮像手段により連続して撮像された一連の画像からなる動画像を記憶する画像記憶手段と、を更に備え、前記認識手段は、前記画像記憶手段に記憶されている動画像であって、人物の動作が撮影された動作解析用の動画像から人物の動作形態をパターン認識することを特徴とする。
【手続補正３】
【補正対象書類名】明細書
【補正対象項目名】００１２
【補正方法】変更
【補正の内容】
【００１２】
また、請求項８記載の発明に係る動画再生方法にあっては、予め記憶されている動画像であって人物の動作が撮影された動作解析用の動画像の再生に先立ち、当該動画像から人物の動作形態をパターン認識するステップと、  前記人物の動作の解析に供する指標であって、パターン認識した人物の動作形態に対応する種類の指標を重ねた状態で前記動作解析用の動画像を表示するステップとを含むことを特徴とする。
【手続補正４】
【補正対象書類名】明細書
【補正対象項目名】００１３
【補正方法】変更
【補正の内容】
【００１３】
また、請求項９記載の発明に係るプログラムにあっては、予め記憶されている動画像を再生する動画再生装置が有するコンピュータを、人物の動作が撮影された動作解析用の動画像から人物の動作形態をパターン認識する認識手段、前記動画像を表示する表示手段に、前記人物の動作の解析に供する指標であって、前記認識手段によりパターン認識された動作形態に対応する種類の指標を重ねた状態で前記動作解析用の動画像を表示させる表示制御手段として機能させることを特徴とする。
【手続補正５】
【補正対象書類名】特許請求の範囲
【補正対象項目名】全文
【補正方法】変更
【補正の内容】
【特許請求の範囲】
【請求項１】
予め記憶されている動画像を再生する動画再生装置において、
前記動画像を表示する表示手段と、
人物の動作が撮影された動作解析用の動画像から人物の動作形態をパターン認識する認識手段と、
前記表示手段に、前記人物の動作の解析に供する指標であって、前記認識手段によりパターン認識された動作形態に対応する種類の指標を重ねた状態で前記動作解析用の動画像を表示させる表示制御手段と
を備えたことを特徴とする動画再生装置。
【請求項２】
前記表示制御手段は、前記認識手段によりパターン認識された動作形態に対応する種類の指標として、前記表示手段に前記人物の撮影方向に応じて予め用意されている複数種類の指標のいずれかを重ねた状態で前記動作解析用の動画像を表示させることを特徴とする請求項１記載の動画再生装置。
【請求項３】
前記表示制御手段が前記動作解析用の動画像に重ねて表示手段に表示させる指標は、１又は複数の補助ラインから構成されることを特徴とする請求項１又は２記載の動画再生装置。
【請求項４】
前記表示手段にフレーム画像に重ねて表示された前記指標を構成する補助ラインの表示位置を調整する位置調整手段を更に備え、
前記表示制御手段は、前記表示手段に、前記位置調整手段によって補助ラインの表示位置が調整された後の前記指標を重ねた状態で前記動作解析用の動画像を表示させることを特徴とする請求項１又は２記載の動画再生装置。
【請求項５】
前記位置調整手段は、前記表示手段に前記フレーム画像に重ねて表示された前記指標を構成する補助ラインの表示位置を使用者の指示に応じて調整することを特徴とする請求項４記載の動画再生装置。
【請求項６】
前記動作解析用の動画像の再生に先立ち、前記認識手段によりパターン認識された動作形態に対応する種類の指標を、前記動作解析用の動画像を構成するフレーム画像に重ねて前記表示手段に表示させる指標表示手段を更に備え、
前記位置調整手段は、前記指標表示手段により表示された前記指標を構成する補助ラインの表示位置を調整することを特徴とする請求項４又は５記載の動画再生装置。
【請求項７】
被写体を撮像する撮像手段と、
前記撮像手段により連続して撮像された一連の画像からなる動画像を記憶する画像記憶手段と、を更に備え、
前記認識手段は、前記画像記憶手段に記憶されている動画像であって、人物の動作が撮影された動作解析用の動画像から人物の動作形態をパターン認識することを特徴とする請求項１乃至６いずれか記載の動画再生装置。
【請求項８】
予め記憶されている動画像であって人物の動作が撮影された動作解析用の動画像の再生に先立ち、当該動画像から人物の動作形態をパターン認識するステップと、
前記人物の動作の解析に供する指標であって、パターン認識した人物の動作形態に対応する種類の指標を重ねた状態で前記動作解析用の動画像を表示するステップと
を含むことを特徴とする動画再生方法。
【請求項９】
予め記憶されている動画像を再生する動画再生装置が有するコンピュータを、
人物の動作が撮影された動作解析用の動画像から人物の動作形態をパターン認識する認識手段、
前記動画像を表示する表示手段に、前記人物の動作の解析に供する指標であって、前記認識手段によりパターン認識された動作形態に対応する種類の指標を重ねた状態で前記動作解析用の動画像を表示させる表示制御手段
として機能させることを特徴とするプログラム。
【手続補正書】
【提出日】平成25年3月14日(2013.3.14)
【手続補正１】
【補正対象書類名】特許請求の範囲
【補正対象項目名】全文
【補正方法】変更
【補正の内容】
【特許請求の範囲】
【請求項１】
モーターにより駆動されるＡＤＦを備える画像読取装置であって、
光電変換素子に蓄積された電荷をシフトパルスによってシフトレジスターに転送する画像読取部と、
前記モーターの回転に基づいて前記シフトパルスの出力タイミングを制御するシフトパルス制御部と、を備え、
前記シフトパルス制御部は、
前記モーターの回転が停止された場合において、前記モーターが停止する直前の光源点灯により蓄積された電荷を転送するためのシフトパルスを出力する、
ことを特徴とする画像読取装置。
【請求項２】
請求項１に記載の画像読取装置であって、
前記画像読取部は、
Ｎ（Ｎは１以上の整数）色の光源を前記シフトパルスの出力タイミングで所定順に順次点灯させて、電荷の蓄積を行うものであって、
前記シフトパルス制御部は、
前記モーターの回転が停止された後、少なくとも前記所定順におけるＮ番目の光源の点灯により蓄積された電荷が転送されるまで前記シフトパルスを出力する、
ことを特徴とする画像読取装置。
【請求項３】
請求項１に記載の画像読取装置であって、
前記画像読取部は、
Ｎ（Ｎは１以上の整数）色の光源を前記シフトパルスの出力タイミングで所定順に順次点灯させて、電荷の蓄積を行うものであって、
前記モーターの回転が停止された後、原稿の読み取りを再開するために当該モーターが再駆動される場合において、当該モーターの再駆動前に前記所定順におけるＮ番目の光源の点灯を完了させておき、当該モーターの再駆動時に前記所定順における最初に点灯すべき色の光源を点灯させる、
ことを特徴とする画像読取装置。
【請求項４】
請求項３に記載の画像読取装置であって、
前記画像読取部は、
前記モーターの再駆動前に前記所定順におけるＮ番目までの少なくとも２ライン分の前記光源の点灯を完了させておく、ことを特徴とする画像読取装置。
【請求項５】
請求項１乃至４のいずれか１項に記載の画像読取装置であって、
前記モーターを制御するモーター制御部を備え、
前記モーター制御部は、
前記シフトレジスターに転送された電荷に基づいて生成された画素データを記憶するメモリーがニアフルである場合に、前記モーターの回転を停止させる、
ことを特徴とする画像読取装置。
【請求項６】
請求項２乃至５に記載の画像読取装置であって、
前記画像読取部は、
前記Ｎ色としてＲＧＢの３色の光源を順次点灯させる、
ことを特徴とする画像読取装置。
【請求項７】
請求項２乃至６に記載の画像読取装置であって、
前記画像読取部は、
原稿の読み取り開始前において、当該モーターの駆動前に前記所定順におけるＮ番目の光源の点灯を完了させておき、当該モーターの駆動時に前記所定順における最初に点灯すべき色の光源を点灯させる、
ことを特徴とする画像読取装置。
【手続補正書】
【提出日】平成25年5月16日(2013.5.16)
【手続補正１】
【補正対象書類名】明細書
【補正対象項目名】発明の名称
【補正方法】変更
【補正の内容】
【発明の名称】画像処理装置  
【手続補正２】
【補正対象書類名】明細書
【補正対象項目名】００１０
【補正方法】変更
【補正の内容】
【００１０】
この発明に係る画像処理装置は、オリジナル画像を構成している複数の画素の中からエッジ上にある処理対象画素を選択し、当該処理対象画素を通るエッジの方向と直交する方向に存在して処理対象画素に隣接する隣接処理対象画素及び処理対象画素を評価基準画素セットとし、処理対象画素に対してエッジの方向に位置してエッジの方向と直交する方向に連続する複数の画素を評価対象画素セットとし、評価基準画素セットと複数の評価対象画素セットとの間のマッチングが最も良い評価対象画素セットを最良の評価対象画素セットとし、最良の評価対象画素セットに対してエッジの方向と直交する方向に１画素ずれた位置の画素セットを隣接評価対象画素セットとし、最良の評価対象画素セットの中心に位置する画素を最良評価画素とし、隣接評価対象画素セットの中心に位置する画素を隣接評価画素とすると、最良評価画素と隣接評価画素との間を１画素未満で補間する評価補間画素を求める信号値算出部を備え、信号値算出部は、最良の評価対象画素セットに対する画素マッチングの結果と隣接評価対象画素セットに対する画素マッチングの結果とを基に評価補間画素の位置を決定し、評価補間画素の信号値を処理対象画素の信号値、隣接処理対象画素の信号値及び隣接評価画素の信号値を基に算出するようにしたものである。
【手続補正３】
【補正対象書類名】明細書
【補正対象項目名】００１１
【補正方法】変更
【補正の内容】
【００１１】
この発明によれば、オリジナル画像を構成している複数の画素の中からエッジ上にある処理対象画素を選択し、当該処理対象画素を通るエッジの方向と直交する方向に存在して処理対象画素に隣接する隣接処理対象画素及び処理対象画素を評価基準画素セットとし、処理対象画素に対してエッジの方向に位置してエッジの方向と直交する方向に連続する複数の画素を評価対象画素セットとし、評価基準画素セットと複数の評価対象画素セットとの間のマッチングが最も良い評価対象画素セットを最良の評価対象画素セットとし、最良の評価対象画素セットに対してエッジの方向と直交する方向に１画素ずれた位置の画素セットを隣接評価対象画素セットとし、最良の評価対象画素セットの中心に位置する画素を最良評価画素とし、隣接評価対象画素セットの中心に位置する画素を隣接評価画素とすると、最良評価画素と隣接評価画素との間を１画素未満で補間する評価補間画素を求める信号値算出部を備え、信号値算出部は、最良の評価対象画素セットに対する画素マッチングの結果と隣接評価対象画素セットに対する画素マッチングの結果とを基に評価補間画素の位置を決定し、評価補間画素の信号値を処理対象画素の信号値、隣接処理対象画素の信号値及び隣接評価画素の信号値を基に算出するように構成したので、アップコンバート映像（アップコンバートされたオリジナル画像）や最縮小画像を保持するフレームメモリを実装する必要がなく、また、再度アップコンバート映像を生成する反復処理を行うことなく、二次元超解像処理を実現することができる効果がある。
【手続補正４】
【補正対象書類名】特許請求の範囲
【補正対象項目名】全文
【補正方法】変更
【補正の内容】
【特許請求の範囲】
【請求項１】
オリジナル画像を構成している複数の画素の中からエッジ上にある処理対象画素を選択し、当該処理対象画素を通るエッジの方向と直交する方向に存在して上記処理対象画素に隣接する隣接処理対象画素及び上記処理対象画素を評価基準画素セットとし、
上記処理対象画素に対して上記エッジの方向に位置して上記エッジの方向と直交する方向に連続する複数の画素を評価対象画素セットとし、
上記評価基準画素セットと上記複数の評価対象画素セットとの間のマッチングが最も良い評価対象画素セットを最良の評価対象画素セットとし、
上記最良の評価対象画素セットに対して上記エッジの方向と直交する方向に１画素ずれた位置の画素セットを隣接評価対象画素セットとし、
上記最良の評価対象画素セットの中心に位置する画素を最良評価画素とし、上記隣接評価対象画素セットの中心に位置する画素を隣接評価画素とすると、
上記最良評価画素と上記隣接評価画素との間を１画素未満で補間する評価補間画素を求める信号値算出部を備え、
上記信号値算出部は、
上記最良の評価対象画素セットに対する上記画素マッチングの結果と上記隣接評価対象画素セットに対する上記画素マッチングの結果とを基に上記評価補間画素の位置を決定し、
上記評価補間画素の信号値を上記処理対象画素の信号値、上記隣接処理対象画素の信号値及び上記隣接評価画素の信号値を基に算出する
ことを特徴とする画像処理装置。
【請求項２】
上記信号値算出部は、
上記最良の評価対象画素セットに対する画素マッチングの結果を示す評価値と、上記隣接評価対象画素セットに対する画素マッチングの結果を示す評価値とを通る画素位置の２次関数を定義し、上記２次関数で評価値が極値となる画素位置を、上記評価補間画素の画素位置に決定する
ことを特徴とする請求項１記載の画像処理装置。 
【請求項３】
上記信号値算出部は、
上記最良の評価対象画素セットに対する画素マッチング結果の評価値をＳＡＤ０とし、上記最良の評価対象画素セットの一方に隣接する第１の隣接評価対象画素セットに対する画素マッチング結果の評価値をＳＡＤ１とし、上記最良の評価対象画素セットの他方に隣接する第２の隣接評価対象画素セットに対する画素マッチング結果の評価値をＳＡＤ２し、上記評価補間画素の位置をＹとすると、上記評価補間画素の位置を
Ｙ＝（ＳＡＤ１−４×ＳＡＤ０＋３×ＳＡＤ２）／（２×（ＳＡＤ１−２×ＳＡＤ０＋ＳＡＤ２））とする
ことを特徴とする請求項２記載の画像処理装置。
【請求項４】
上記信号値算出部は、
上記処理対象画素の信号値をＬＹ０とし、上記隣接処理対象画素の信号値をＬＹ１とし、上記隣接評価画素の信号値をＬＹ２とすると、上記評価補間画素の信号値ＬＹｍｉｎは、ＬＹｍｉｎ＝ＬＹ２−（ＬＹ１−ＬＹ０）で表される
ことを特徴とする請求項１から請求項３のうちのいずれか１項記載の画像処理装置。